(57)【要約】【課題】板状又はシート状の物品を入れるポケットを内側に有し、中央部位から内側に２つ折りにされるケースであって、中央部位から内側に２つ折りにすると、その２つ折りの状態を維持できるとともに、２つ折りの状態から開いた状態に戻せるものを、少なくとも安価に容易に作れようにし、さらにはリサイクルがし易く環境に易しいものにする。【解決手段】板状又はシート状の物品を入れるポケット（１６，１７）を内側に有し、中央部位から内側に２つ折りにされるケースであって、  ポケットの差込口（１６ａ，１７ａ）と、中央部位とを除外した内側の箇所に、吸着層と吸着支持層とからなり吸着層にセルが分散している再封可能ラベル（１２）の吸着支持層側を接着させ、  中央部位から内側に２つ折りにされたとき、再封可能ラベルに対抗する面が平滑であることを特徴とする再封可能ケース。【選択図】図４
2009012816.tif 000002
【特許請求の範囲】
【請求項１】
板状又はシート状の物品を入れるポケットを内側に有し、中央部位から内側に２つ折りにされるケースであって、
ポケットの差込口と、中央部位とを除外した内側の箇所に、吸着層と吸着支持層とからなり吸着層にセルが分散している再封可能ラベルの吸着支持層側を接着させ、
中央部位から内側に２つ折りにされたとき、再封可能ラベルに対抗する面が平滑であることを特徴とする再封可能ケース。
【請求項２】
前記吸着層は非塩ビ素材からなり、前記吸着支持層は合成紙からなることを特徴とする請求項１に記載の再封可能ケース。
【発明の詳細な説明】
【技術分野】
【０００１】
本発明はケースに関する。
【背景技術】
【０００２】
従来から、板状又はシート状の物品を入れるポケットを内側に有し、中央部位から内側に２つ折りにされるケースには、ポケットの差込口と中央部位とを除いたそのケースの内側に、マジックテープ（登録商標）、ベルベット式ファスナーなどと呼ばれる面ファスナーの雌雄構成部材を付けて、中央部位から内側に２つ折りにすると、その雌雄構成部材が係着して、その２つ折りの状態を維持できるとともに、２つ折りの状態から開いた状態に戻せるものがある（例えば特許文献１参照）。
【０００３】
ところで、そのケースは、ポケットの差込口と中央部位とを除いた内側に面ファスナーの雌雄構成部材を付けるので、コストが高くなり、作り難くなるという問題がある。
【０００４】
そのケース本体に紙を用いる場合、リサイクルがし難く、環境に厳しいという問題がある。
【特許文献１】実公昭５７−９４６７０号公報
【発明の開示】
【発明が解決しようとする課題】
【０００５】
本発明は斯かる背景技術に鑑みてなされたもので、板状又はシート状の物品を入れるポケットを内側に有し、中央部位から内側に２つ折りにされるケースであって、中央部位から内側に２つ折りにすると、その２つ折りの状態を維持できるとともに、２つ折りの状態から開いた状態に戻せるものを、少なくとも安価に容易に作れようにし、さらにはリサイクルがし易く環境に易しいものにすることを課題とする。
【課題を解決するための手段】
【０００６】
本発明において上記課題を解決するために、まず請求項１の発明では、板状又はシート状の物品を入れるポケットを内側に有し、中央部位から内側に２つ折りにされるケースであって、
ポケットの差込口と、中央部位とを除外した内側の箇所に、吸着層と吸着支持層とからなり吸着層にセルが分散している再封可能ラベルの吸着支持層側を接着させ、
中央部位から内側に２つ折りにされたとき、再封可能ラベルに対抗する面が平滑であることを特徴とする再封可能ケースとしたものである。
【０００７】
また請求項２の発明では、前記吸着層は非塩ビ素材からなり、前記吸着支持層は合成紙からなることを特徴とする請求項１に記載の再封可能ケースとしたものである。
【発明の効果】
【０００８】
請求項１の発明は、２つ折りにすると、再封可能ラベルの吸着層側が、これに対抗する平滑な面に貼り付いて密着するので、開けようとしても、ある一定以上の力を加えない限り、２つ折りの状態が維持され、他方、ある一定以上の力を加えると、再封可能ラベルの吸着層が吸着支持層と一緒にきれいに剥がれて、開いた状態になるという効果がある。そして請求項１の発明は、ポケットの差込口と中央部位とを除外した内側の箇所に、再封可能ラベルの吸着支持層側を接着するので、面ファスナーを用いる場合よりも、コストが安くなり、作り易くなるという効果がある。
【０００９】
また請求項２の発明は、吸着層支持体には合成紙を用い、吸着層には非塩ビ素材を用いているので、ケース本体に紙を用いても、リサイクルがし易く、環境に易しいという効果がある。
【００１０】
従って、本発明は、板状又はシート状の物品を入れるポケットを内側に有し、中央部位から内側に２つ折りにされるケースであって、中央部位から内側に２つ折りにすると、その２つ折りの状態を維持できるとともに、２つ折りの状態から開いた状態に戻せるものを、少なくとも安価に容易に作れようにし、さらにはリサイクルがし易く環境に易しいものにするという効果がある。
【発明を実施するための最良の形態】
【００１１】
まず、本発明に用いる再封可能ラベルについて説明する。
【００１２】
再封可能ラベルは、図１に示すように、吸着層２と、吸着層２を支持する吸着層支持体１とからなり、吸着層２に微細なセル３が分散しているラベルである。
【００１３】
再封可能ラベルは、図２に示すように、被着体３の平滑な面に、吸着層２側を貼ると、微細なセル３が吸盤のように作用して、この被着体３の平滑な面に密着し、吸着支持体１に、ある一定以上の力を加えない限り密着したままである。吸着支持体１に、ある一定以上の力を加えると、吸着層２は吸着支持体１と一緒にきれいに剥がれる。
【００１４】
再封可能ラベルは、吸着層支持体１には合成紙を用い、吸着層２には非塩ビ素材を用いているので、環境に易しく、リサイクルがし易いものである。
【００１５】
再封可能ラベルの例としては、ユポ・コーポレーション製のユポ・サンクションタッグ（登録商標）が挙げられる。
【００１６】
以下に、本発明の最良の実施形態を３つ説明する。
【００１７】
本発明の第１の実施形態は、図３の（Ａ）に開いた状態の内側正面、同図の（Ｂ）に２つ折りの状態の正面を示すファイルケースである。
【００１８】
図３の（Ａ）に示すように、ファイルケースは、内側の右半面に、差込口１１ａからファイルを入れるポケット１１を有する。ファイルケース本体は、紙、プラスチックシートなど、平滑性のあるシートで出来ており、ポケット１１の表面は、平滑である。
【００１９】
また図３の（Ａ）に示すように、ファイルケースは、内側の左半面の左端付近で、上下両端間の中央付近の表面に、再封可能ラベル１０の吸着支持体側が、接着剤や両面テープなどで接着されている。
【００２０】
また図３の（Ａ）に示すように、ファイルケースは、内側の中央部位に、谷折れ部１２を有し、谷折れ部１２を介して、図３の（Ｂ）に示すように、２つ折りにされて、再封可能ラベル１０の吸着層側が、ポケット１１の表面に貼り付き密着する。
【００２１】
２つ折りにされたファイルケースは、再封可能ラベル１０の吸着層側がポケット１１の表面に密着しているので、開けようとしても、ある一定以上の力を加えない限り、２つ折りの状態が維持され、他方、ある一定以上の力を加えると、再封可能ラベル１０の吸着層が吸着支持層と一緒にきれいに剥がれて、開いた状態になる。
【００２２】
本発明の第２の実施形態は、図４の（Ａ）に開いた状態の内側正面、同図の（Ｂ）に２つ折りの状態の正面を示すＣＤ−ＲＯＭケースである。
【００２３】
図４の（Ａ）に示すように、ＣＤ−ＲＯＭケースは、内側の左半面に、差込口１６ａからＣＤ−ＲＯＭを入れるポケット１６を有し、また内側の右半面にも、差込口１７ａからＣＤ−ＲＯＭを入れるポケット１７を有する。ＣＤ−ＲＯＭケース本体は、紙、プラスチックシートなど、平滑性のあるシートで出来ており、ポケット１７の表面は、平滑である。
【００２４】
また図４の（Ａ）に示すように、ＣＤ−ＲＯＭケースは、ポケット１６の左端付近で、上下両端間の中央付近の表面に、再封可能ラベル１５の吸着支持体側が、接着剤や両面テープなどで接着されている。
【００２５】
また図４の（Ａ）に示すように、ＣＤ−ＲＯＭケースは、内側の中央部位に、谷折れ部１８を有し、谷折れ部１８を介して、図４の（Ｂ）に示すように、２つ折りにされて、再封可能ラベル１５の吸着層側が、ポケット１７の表面に貼り付き密着する。
【００２６】
２つ折りにされたＣＤ−ＲＯＭケースは、再封可能ラベル１５の吸着層側がポケット１７の表面に密着しているので、開けようとしても、ある一定以上の力を加えない限り、２つ折りの状態が維持され、他方、ある一定以上の力を加えると、再封可能ラベル１５の吸着層が吸着支持層と一緒にきれいに剥がれて、開いた状態になる。
【００２７】
本発明の第３の実施形態は、図５の（Ａ）に開いた状態の内側正面、同図の（Ｂ）に２つ折りの状態の正面を示すギフトケースである。
【００２８】
図５の（Ａ）に示すように、ギフトカードケースは、内側の下半面に、差込口２１ａからギフトカードを入れるポケット２１を有する。ギフトカードケース本体は、紙、プラスチックシートなど、平滑性のあるシートで出来ており、ポケット２１の表面は、平滑である。
【００２９】
また図５の（Ａ）に示すように、ギフトカードケースは、内側の上半面の上端付近で、左右両端間の中央付近の表面に、再封可能ラベル２０の吸着支持体側が、接着剤や両面テープなどで接着されている。
【００３０】
また図５の（Ａ）に示すように、ギフトカードケースは、内側の中央部位に、谷折れ部２２を有し、谷折れ部２２を介して、図５の（Ｂ）に示すように、２つ折りにされて、再封可能ラベル２０の吸着層側が、ポケット２１の表面に貼り付き密着する。
【００３１】
２つ折りにされたギフトカードケースは、再封可能ラベル２０の吸着層側がポケット２１の表面に密着しているので、開けようとしても、ある一定以上の力を加えない限り、２つ折りの状態が維持され、他方、ある一定以上の力を加えると、再封可能ラベル２０の吸着層が吸着支持層と一緒にきれいに剥がれて、開いた状態になる。
【００３２】
このように本発明の各実施形態では、各ケース本体のポケットの差込口と中央部位とを除外した内側の箇所に、再封可能ラベルの吸着支持層側を接着剤や両面テープなどで接着するので、面ファスナーを用いる場合よりも、コストが安くなり、作り易くなる。また、再封可能ラベルは、吸着層支持体には合成紙を用い、吸着層には非塩ビ素材を用いているので、ケース本体に紙を用いても、リサイクルがし易く、環境に易しい。
【図面の簡単な説明】
【００３３】
【図１】再封可能ラベルの断面を示す図。
【図２】再封可能ラベルを被着体に密着された図。
【図３】ファイルケースについて、（Ａ）は開いた状態の内側正面、（Ｂ）は２つ折りの状態の正面を示す図。
【図４】ＣＤ−ＲＯＭケースについて、（Ａ）は開いた状態の内側正面、（Ｂ）は２つ折りの状態の正面を示す図。
【図５】ギフトカードについて、（Ａ）は開いた状態の内側正面、（Ｂ）は２つ折りの状態の正面を示す図。
【符号の説明】
【００３４】
１…吸着層支持体（合成紙）
２…吸着層
３…セル
４…被着体
１０…再封可能ラベル
１１…ポケット
１１ａ…差込口
１２…谷折れ部
１５…再封可能ラベル
１６…ポケット
１６ａ…差込口
１７…ポケット
１７ａ…差込口
１８…谷折れ部
２０…再封可能ラベル
２１…ポケット
２１ａ…差込口
２２…谷折れ部
【図１】
2009012816.tif 000003
【図２】
2009012816.tif 000004
【図３】
2009012816.tif 000005
【図４】
2009012816.tif 000006
【図５】
2009012816.tif 000007